(57)【要約】【課題】飲料販売釦に定量販売機能または連続販売機能を対応付ける際の操作を容易とする。【解決手段】飲料販売釦が押下される都度、飲料を定量販売する定量販売機能と、飲料販売釦が押下されている期間または飲料販売釦が押下されてから当該飲料販売釦或いは当該飲料販売釦とは異なる釦が押下されるまでの期間、飲料を連続販売する連続販売機能とを、複数の飲料販売釦に選択的に対応付ける飲料供給装置において、前記複数の飲料販売釦に前記連続販売機能を一括で対応付けるための連続販売設定手段を、備えたことを特徴とする。【選択図】      図７
2004334378.tif 000002
【特許請求の範囲】
【請求項１】
飲料販売釦が押下される都度、飲料を定量販売する定量販売機能と、飲料販売釦が押下されている期間または飲料販売釦が押下されてから当該飲料販売釦或いは当該飲料販売釦とは異なる釦が押下されるまでの期間、飲料を連続販売する連続販売機能とを、複数の飲料販売釦に選択的に対応付ける飲料供給装置において、
前記複数の飲料販売釦に前記連続販売機能を一括で対応付けるための連続販売設定手段を、備えたことを特徴とする飲料供給装置。
【請求項２】
前記複数の飲料販売釦に飲料の種類を対応付けるための飲料種類設定手段を有し、
前記連続販売設定手段は、前記飲料の種類ごとの前記複数の飲料販売釦に前記連続販売機能を一括で対応付けることを特徴とする請求項１記載の飲料供給装置。
【請求項３】
時刻を計時するタイマを有し、
前記連続販売設定手段は、前記タイマの計時出力に応じて、前記複数の飲料販売釦に前記連続販売機能を一括で対応付けることを特徴とする請求項１または２記載の飲料供給装置。
【請求項４】
飲料販売釦が押下される都度、飲料を定量販売する定量販売機能と、飲料販売釦が押下されている期間または飲料販売釦が押下されてから当該飲料販売釦或いは当該飲料販売釦とは異なる釦が押下されるまでの期間、飲料を連続販売する連続販売機能とを、複数の飲料販売釦に選択的に対応付ける飲料供給装置において、
前記複数の飲料販売釦に対応付けられている前記定量販売機能を一括で無効とするための定量販売無効手段を、備えたことを特徴とする飲料供給装置。
【請求項５】
前記複数の飲料販売釦に飲料の種類を対応付けるための飲料種類設定手段を有し、
前記定量販売無効手段は、前記飲料の種類ごとの前記複数の飲料販売釦に対応付けられている前記定量販売機能を一括で無効とすることを特徴とする請求項４記載の飲料供給装置。
【請求項６】
時刻を計時するタイマを有し、
前記定量販売無効手段は、前記タイマの計時出力に応じて、前記複数の飲料販売釦に対応付けられている前記定量販売機能を一括で無効とすることを特徴とする請求項４または５記載の飲料供給装置。
【請求項７】
飲料販売釦が押下される都度、飲料を定量販売する定量販売機能と、飲料販売釦が押下されている期間または飲料販売釦が押下されてから当該飲料販売釦或いは当該飲料販売釦とは異なる釦が押下されるまでの期間、飲料を連続販売する連続販売機能とを、複数の飲料販売釦に選択的に対応付ける飲料供給装置において、
前記複数の飲料販売釦に対応付けられている前記連続販売機能を一括で無効とするための連続販売無効手段を、備えたことを特徴とする飲料供給装置。
【請求項８】
前記複数の飲料販売釦に飲料の種類を対応付けるための飲料種類設定手段を有し、
前記連続販売無効手段は、前記飲料の種類ごとの前記複数の飲料販売釦に対応付けられている前記連続販売機能を一括で無効とすることを特徴とする請求項７記載の飲料供給装置。
【請求項９】
時刻を計時するタイマを有し、
前記連続販売無効手段は、前記タイマの計時出力に応じて、前記複数の飲料販売釦に対応付けられている前記連続販売機能を一括で無効とすることを特徴とする請求項７または８記載の飲料供給装置。
【発明の詳細な説明】
【０００１】
【発明の属する技術分野】
本発明は、カップに飲料を供給する飲料供給装置に関する。
【０００２】
【従来の技術】
飲食店内に設置される飲料ディスペンサは、複数の飲料と対応する複数の飲料販売釦を有する。これ等の複数の飲料販売釦は、飲食店の営業形態に合わせて、
（Ａ）飲料販売釦が押下される都度、飲料を定量販売するための定量販売機能、
（Ｂ）飲料販売釦が押下されている期間または飲料販売釦が押下されてから当該飲料販売釦或いは当該飲料販売釦とは異なる釦が押下されるまでの期間のみ、飲料を連続販売するための連続販売機能、の何れか一方が対応付けして設定されている。
【０００３】
【特許文献１】
特開２００２−８００９３号公報
【０００４】
【発明が解決しようとする課題】
しかし、各飲料販売釦に定量販売機能または連続販売機能をわざわざ対応付ける必要があるため、飲料販売釦の機能を設定変更する場合等の操作が煩雑となる問題があった。
【０００５】
そこで、本発明は、飲料販売釦に定量販売機能または連続販売機能を対応付ける際の操作を容易とする飲料供給装置を提供することを目的とする。
【０００６】
【課題を解決するための手段】
前記課題を解決するための発明は、飲料販売釦が押下される都度、飲料を定量販売する定量販売機能と、飲料販売釦が押下されている期間または飲料販売釦が押下されてから当該飲料販売釦或いは当該飲料販売釦とは異なる釦が押下されるまでの期間、飲料を連続販売する連続販売機能とを、複数の飲料販売釦に選択的に対応付ける飲料供給装置において、前記複数の飲料販売釦に前記連続販売機能を一括で対応付けるための連続販売設定手段を、備えたことを特徴とする。この飲料供給装置によれば、飲食店の営業形態に応じて、全部の飲料販売釦に連続販売機能を一括で対応付できる。従って、全部の飲料販売釦に連続販売機能を対応付ける際の設定操作が簡便となる。
【０００７】
また、かかる飲料供給装置において、前記複数の飲料販売釦に飲料の種類を対応付けるための飲料種類設定手段を有し、前記連続販売設定手段は、前記飲料の種類ごとの前記複数の飲料販売釦に前記連続販売機能を一括で対応付けることを特徴とする。この飲料供給装置によれば、飲食店の営業形態に応じて、飲料の種類で特定される複数の飲料販売釦に連続販売機能を一括で対応付けできる。従って、一部の飲料販売釦に連続販売機能を対応付ける際の設定操作が簡便となる。
【０００８】
更に、かかる飲料供給装置において、時刻を計時するタイマを有し、前記連続販売設定手段は、前記タイマの計時出力に応じて、前記複数の飲料販売釦に前記連続販売機能を一括で対応付けることを特徴とする。この飲料供給装置によれば、全部または一部の飲料販売釦に連続販売機能を対応付ける際の設定操作が不要となる。
【０００９】
飲料販売釦が押下される都度、飲料を定量販売する定量販売機能と、飲料販売釦が押下されている期間または飲料販売釦が押下されてから当該飲料販売釦或いは当該飲料販売釦とは異なる釦が押下されるまでの期間、飲料を連続販売する連続販売機能とを、複数の飲料販売釦に選択的に対応付ける飲料供給装置において、前記複数の飲料販売釦に対応付けられている前記定量販売機能を一括で無効とするための定量販売無効手段を、備えたことを特徴とする。この飲料供給装置によれば、飲食店の営業形態に応じて、全部の飲料販売釦のうち、一部の飲料販売釦に対応付けられている定量販売機能を一括で無効とできる。従って、定量販売機能を無効とする際の設定操作が簡便となる。
【００１０】
また、かかる飲料供給装置において、前記複数の飲料販売釦に飲料の種類を対応付けるための飲料種類設定手段を有し、前記定量販売無効手段は、前記飲料の種類ごとの前記複数の飲料販売釦に対応付けられている前記定量販売機能を一括で無効とすることを特徴とする。この飲料供給装置によれば、飲食店の営業形態に応じて、飲料の種類で特定される飲料販売釦に対応付けされている定量販売機能を一括で無効とできる。従って、飲料の種類で特定される定量販売機能を無効とする際の設定操作が簡便となる。
【００１１】
更に、かかる飲料供給装置において、時刻を計時するタイマを有し、前記定量販売無効手段は、前記タイマの計時出力に応じて、前記複数の飲料販売釦に対応付けられている前記定量販売機能を一括で無効とすることを特徴とする。この飲料供給装置によれば、定量販売機能を無効とする際の設定操作が不要となる。
【００１２】
飲料販売釦が押下される都度、飲料を定量販売する定量販売機能と、飲料販売釦が押下されている期間または飲料販売釦が押下されてから当該飲料販売釦或いは当該飲料販売釦とは異なる釦が押下されるまでの期間、飲料を連続販売する連続販売機能とを、複数の飲料販売釦に選択的に対応付ける飲料供給装置において、前記複数の飲料販売釦に対応付けられている前記連続販売機能を一括で無効とするための連続販売無効手段を、備えたことを特徴とする。この飲料供給装置によれば、全部の飲料販売釦のうち、一部の飲料販売釦に対応付けられている連続販売機能を一括で無効とできる。従って、連続販売機能を無効とする際の設定操作が簡便となる。
【００１３】
また、かかる飲料供給装置において、前記複数の飲料販売釦に飲料の種類を対応付けるための飲料種類設定手段を有し、前記連続販売無効手段は、前記飲料の種類ごとの前記複数の飲料販売釦に対応付けられている前記連続販売機能を一括で無効とすることを特徴とする。この飲料供給装置によれば、飲食店の営業形態に応じて、飲料の種類で特定される飲料販売釦に対応付けされている連続販売機能を一括で無効とできる。従って、飲料の種類で特定される連続販売機能を無効とする際の設定操作が簡便となる。
【００１４】
更に、かかる飲料供給装置において、時刻を計時するタイマを有し、前記連続販売無効手段は、前記タイマの計時出力に応じて、前記複数の飲料販売釦に対応付けられている前記連続販売機能を一括で無効とすることを特徴とする。この飲料供給装置によれば、連続販売機能を無効とする際の設定操作が不要となる。
【００１５】
【発明の実施の形態】
本明細書および添付図面の記載により、少なくとも以下の事項が明らかとなる。
【００１６】
＝＝＝飲料供給装置の外部構成＝＝＝
図１を参照しつつ、本発明を適用する飲料供給装置（飲料ディスペンサ）の外部の一例について説明する。図１は、本発明を適用する飲料供給装置の外部の一例を示す正面図である。尚、本実施形態の飲料供給装置では、飲料販売釦が押下される都度、飲料を定量販売する定量販売機能と、飲料販売釦が押下されている期間または飲料販売釦が押下されてから当該飲料販売釦或いは当該飲料販売釦とは異なる釦が押下されるまでの期間、飲料を連続販売する連続販売機能とが、複数の飲料販売釦に適宜設定されることとする。更に、飲料供給装置は、３飲料（例えば清涼飲料１、清涼飲料２、アルコール飲料）を販売することとする。
【００１７】
３個の飲料選択部２、４、６は、３飲料を選択するための操作部であり、操作者が対面する前面パネル８上で例えば横一列に配置されている。飲料選択部２は、例えば２個の飲料販売釦２Ａ、２Ｂと、表示部２Ｃとを有する。飲料販売釦２Ａ、２Ｂは、定量販売機能または連続販売機能が対応付けられるものである。特に、飲料販売釦２Ａ、２Ｂは定量販売機能が対応付けられるとき、飲料販売釦２Ａは小容量の飲料（例えば１５０ｍｌ）を販売するための釦に設定され、飲料販売釦２Ｂは大容量の飲料（例えば２５０ｍｌ）を販売するための釦に設定される。表示部２Ｃは、飲料の販売状態を表示するための表示素子（例えばＬＥＤ、ＬＣＤ等）からなる。表示部２Ｃは、飲料選択部２の飲料が販売される期間は点灯し、飲料選択部２の飲料が販売されない待機期間は消灯する。同様に、飲料選択部４は、例えば２個の飲料販売釦４Ａ、４Ｂと、表示部４Ｃとを有する。飲料販売釦４Ａ、４Ｂは、定量販売機能または連続販売機能が対応付けられるものである。特に、飲料販売釦４Ａ、４Ｂは定量販売機能が対応付けられるとき、飲料販売釦４Ａは小容量の飲料を販売するための釦に設定され、飲料販売釦４Ｂは大容量の飲料を販売するための釦に設定される。表示部４Ｃは、飲料の販売状態を表示するための表示素子からなる。表示部４Ｃは、飲料選択部４の飲料が販売される期間は点灯し、飲料選択部４の飲料が販売されない待機期間は消灯する。同様に、飲料選択部６は、例えば２個の飲料販売釦６Ａ、６Ｂと、表示部６Ｃとを有する。飲料販売釦６Ａ、６Ｂは、定量販売機能または連続販売機能が対応付けられるものである。特に、飲料販売釦６Ａ、６Ｂは定量販売機能が対応付けられるとき、飲料販売釦６Ａは小容量の飲料を販売するための釦に設定され、飲料販売釦６Ｂは大容量の飲料を販売するための釦に設定される。表示部６Ｃは、飲料の販売状態を表示するための表示素子からなる。表示部６Ｃは、飲料選択部６の飲料が販売される期間は点灯し、飲料選択部６の飲料が販売されない待機期間は消灯する。尚、飲料選択部２、４は清涼飲料の種類に属し、飲料選択部６はアルコール飲料の種類に属する。
【００１８】
３個のトレイラック１０、１２、１４は、カップ１６の載置位置を決定するためのものである。即ち、カップ１６をトレイラック１０、１２、１４に沿わせて載置することによって、飲料選択部２、４、６と対応する飲料供給ノズル１８、２０、２２から吐出される飲料がカップ１６内に供給されることとなる。
【００１９】
＝＝＝飲料供給装置の販売機構部の構成＝＝＝
図２を参照しつつ、本発明を適用する飲料供給装置の販売機構部の一例について説明する。図２は、本発明を適用する飲料供給装置の販売機構部の一例を説明するための図である。尚、本実施形態の販売機構部１００は、希釈水を使用する清涼飲料と、炭酸水を使用するアルコール飲料とを販売することとする。
【００２０】
第１水電磁弁１０２は、水供給口からの水を下流側へ供給するものである。ポンプ１０４は、モータ１０６の駆動力が伝達されることによって、第１水電磁弁１０２からの水を一定量／単位時間ずつ下流側へ放出するものである。例えば、ポンプ１０４は８０ｍｌ／秒の水を放出することとする。水冷却コイル１０８は、ポンプ１０４からの水を冷却するものである。水流量調整器１１０は、水冷却コイル１０８からの冷却水の流れ具合を流量調整するものである。第２水電磁弁１１２は、第１水電磁弁１０２の開閉と同期して同様に開閉し、水流量調整器１１０からの冷却水を水供給ライン１１４へ供給するものである。
【００２１】
カーボネータ１１６は、炭酸水を貯蔵するためのものである。第１炭酸水電磁弁１１８は、水冷却コイル１０８の出口側で分岐する冷却水をカーボネータ１１６へ供給するものである。カーボネータ１１６内では、第１炭酸水電磁弁１１８から供給される冷却水が炭酸ガスボンベ１２０から供給される炭酸ガスと混合されて炭酸水が生成され、一定圧力（例えば１．６ＭＰａ）が発生することとなる。カーボネータ１１６内の炭酸水は、炭酸ガスボンベ１２０のガス圧力で下流側へ放出される。尚、第１炭酸水電磁弁１１８は、カーボネータ１１６内の炭酸水量を検出するフロートスイッチ（不図示）のオンオフに応じて開閉するが、第２水電磁弁１１２が開いている間は、前記フロートスイッチのオンオフに関わらず閉じたままとなる。これにより、水供給ライン１１４の供給圧力が低下することを防止できる。炭酸水流量調整器１２２は、カーボネータ１１６からの炭酸水の流れ具合を流量調整するものである。炭酸水冷却コイル１２４は、炭酸水流量調整器１２２からの炭酸水を冷却するものである。第２炭酸水電磁弁１２６は、炭酸水冷却コイル１２４からの冷却炭酸水を炭酸水供給ライン１２８へ供給するものである。
【００２２】
第１原料タンク１３０は、清涼飲料１を調理するための原料（濃縮液体原料）を貯蔵するものである。第１原料タンク１３０内の原料は、ある程度の粘性を有するため、炭酸ガスボンベ１２０のガス圧力で下流側へ放出される。第１原料冷却コイル１３２は、第１原料タンク１３０からの原料を冷却するものである。第１原料流量調整器１３４は、第１原料冷却コイル１３２からの冷却原料の流れ具合を流量調整するものである。第１原料電磁弁１３６は、第１原料流量調整器１３４からの冷却原料を第１原料供給ライン１３８へ供給するものである。第１マルチバルブ１４０は、第１原料供給ライン１３８から供給される原料を水供給ライン１１４から供給される冷却水で希釈混合することによって、清涼飲料１を生成するものである。この清涼飲料１は、飲料供給ノズル１８を通じて吐出される。同様に、第２原料タンク１４２は、清涼飲料２を調理するための原料（濃縮液体原料）を貯蔵するものである。第２原料タンク１４２内の原料は、ある程度の粘性を有するため、炭酸ガスボンベ１２０のガス圧力で下流側へ放出される。第２原料冷却コイル１４４は、第２原料タンク１４２からの原料を冷却するものである。第２原料流量調整器１４６は、第２原料冷却コイル１４４からの冷却原料の流れ具合を流量調整するものである。第２原料電磁弁１４８は、第２原料流量調整器１４６からの冷却原料を第２原料供給ライン１５０へ供給するものである。第２マルチバルブ１５２は、第２原料供給ライン１５０から供給される原料を水供給ライン１１４から供給される冷却水で希釈混合することによって、清涼飲料２を生成するものである。この清涼飲料２は、飲料供給ノズル２０を通じて吐出される。同様に、第３原料タンク１５４は、アルコール飲料（例えば炭酸割焼酎飲料）を調理するための原料（焼酎）を貯蔵するものである。第３原料タンク１５４内の原料は、炭酸ガスボンベ１２０のガス圧力で下流側へ放出される。第３原料冷却コイル１５６は、第３原料タンク１５４からの原料を冷却するものである。第３原料流量調整器１５８は、第３原料冷却コイル１５６からの冷却原料の流れ具合を流量調整するものである。第３原料電磁弁１６０は、第３原料流量調整器１５８からの冷却原料を第３原料供給ライン１６２へ供給するものである。第３マルチバルブ１６４は、第３原料供給ライン１６２から供給される原料を炭酸水供給ライン１２８から供給される冷却炭酸水で希釈混合することによって、アルコール飲料を生成するものである。このアルコール飲料は、飲料供給ノズル２２を通じて吐出される。
【００２３】
＝＝＝飲料供給装置の制御構成＝＝＝
図３を参照しつつ、本発明の飲料供給装置の制御構成について説明する。図３は、本発明の飲料供給装置の制御構成を説明するためのブロック図である。
【００２４】
飲料販売釦２Ａ、２Ｂ、４Ａ、４Ｂ、６Ａ、６Ｂは、店員または利用客が押下するものである（図１）。また、販売機構部１００は、飲料販売釦２Ａ、２Ｂ、４Ａ、４Ｂ、６Ａ、６Ｂの押下と対応する飲料を飲料供給ノズル１８、２０、２２の何れかを通じて吐出するものである（図２）。
【００２５】
ＲＯＭ２０２は、飲料供給装置の各種動作を制御するためのプログラムデータ、参照テーブルデータ等を予め記憶している。特に、ＲＯＭ２０２は、飲料販売釦２Ａ、２Ｂ、４Ａ、４Ｂ、６Ａ、６Ｂに対して、（１）連続販売機能を一括で設定する、（２）現在設定されている定量販売機能を一括で無効設定する、（３）現在設定されている連続販売機能を一括で無効設定する、（４）清涼飲料、アルコール飲料の種類を設定する、（５）タイマを設定する、等を実行するためのプログラムデータを記憶している。尚、ＲＯＭ２０２は、データが製造工程で焼付固定されるマスクＲＯＭ、紫外線消去可能なＥＰＲＯＭ、電気消去可能なＥＥＰＲＯＭ（フラッシュＲＯＭを含む）等の何れかの不揮発性記憶素子であることとする。
【００２６】
制御部２０４は、ＲＯＭ２０２からのプログラムデータを解読した結果に基づいて論理演算を実行し、飲料供給装置の各種動作を制御するための制御信号を出力する。尚、制御部２０４は、ＲＯＭ２０２のアドレスを指定するアドレスカウンタ、ＲＯＭ２０２から読み出されるプログラムデータを解読するプログラマブルロジックアレイ、論理演算を実行する演算論理ユニット、演算データを一時保持するレジスタ等を有する。
【００２７】
ＲＡＭ２０６は、制御部２０４の演算データ等の作業データを一時的に記憶するものである。尚、ＲＡＭ２０６は、ＥＥＰＲＯＭ等の不揮発性記憶素子またはバックアップ電源を必要とするＳＲＡＭ等の何れかの揮発性記憶素子であることとする。
【００２８】
タイマ２０８は、絶対時刻または相対時間を計時するものである。尚、絶対時刻とは現在時刻であり、相対時間とは所定時刻を起点とする経過時間である。タイマ２０８の計時内容は、ＲＯＭ２０２からのプログラムデータを解読した結果に基づいて適宜使用される。
【００２９】
飲料販売釦２Ａ、２Ｂ、４Ａ、４Ｂ、６Ａ、６Ｂ、販売機構部１００、端末装置２１２は、入出力部２１０（Ｉ／Ｏ）を介して制御部２０４と接続される。
【００３０】
端末装置２１２は、飲料供給装置が有する各種機能を設定するための有線または無線のキーボード等であり、飲料供給装置の前面パネル８の裏面側等に配置される。端末装置２１２は、操作部２１２Ａ（機能キー、数字キー、上下左右の方向キー、決定キー等）および表示部２１２Ｂ（ＬＣＤ、有機ＥＬ等）を有する。そして、飲食店の経営者、店員等が端末装置２１２を操作することによって、飲料販売釦２Ａ、２Ｂ、４Ａ、４Ｂ、６Ａ、６Ｂに対して、（１）定量販売機能、連続販売機能を個別で設定する、（２）連続販売機能を一括で設定する、（３）現在設定されている定量販売機能を一括で無効設定する、（４）現在設定されている連続販売機能を一括で無効設定する、（５）飲料の種類を設定する、（６）タイマ２０８を設定する、等が可能となる。
【００３１】
尚、連続販売設定手段、定量販売無効手段、連続販売無効手段は、ＲＯＭ２０２、制御部２０４、ＲＡＭ２０６、端末装置２１２で構成されるものである。
【００３２】
＝＝＝飲料供給装置の設定動作＝＝＝
≪個別設定≫
図４、図５を参照しつつ、本発明の飲料供給装置の飲料販売釦に定量販売機能または連続販売機能を個別設定する場合の動作について説明する。図４は、本発明を適用する飲料供給装置の端末装置の表示内容の一例を示す図である。図５は、本発明の飲料供給装置の飲料販売釦に定量販売機能または連続販売機能を個別設定する場合の動作を説明するためのフローチャートである。尚、図５の動作は、飲食店の経営者、店員等が端末装置２１２の操作部２１２Ａを操作することで発生する信号に基づいて、制御部２０４が実行するものである。
【００３３】
先ず、端末装置２１２の操作部２１２Ａの中で飲料販売釦２Ａ、２Ｂ、４Ａ、４Ｂ、６Ａ、６Ｂの機能設定を開始するための機能キーが操作されると、端末装置２１２は、機能設定を開始するための要求信号ＲＥＱ１を入出力部２１０を介して制御部２０４に送信する。即ち、制御部２０４は、要求信号ＲＥＱ１を受信することによって、飲料販売釦２Ａ、２Ｂ、４Ａ、４Ｂ、６Ａ、６Ｂの機能設定を行うための機能キーが操作されたものと判別する。制御部２０４は、要求信号ＲＥＱ１を受信すると（Ｓ１０２）、ＲＯＭ２０２から『個別設定、一括設定、飲料種類設定、タイマ設定』を選択するための画面Ｄ１（図４）のテーブルデータを読み出して端末装置２１２に送信する。これにより、端末装置２１２は、画面Ｄ１を表示部２１２Ｂに表示する（Ｓ１０４）。
【００３４】
端末装置２１２の操作部２１２Ａの中で方向キーおよび決定キーが適宜操作されることによって、表示部２１２Ｂの画面Ｄ１の中で『個別設定』が選択されると、端末装置２１２は、個別設定するための要求信号ＲＥＱ２を入出力部２１０を介して制御部２０４に送信する。制御部２０４は、要求信号ＲＥＱ２を受信すると（Ｓ１０６）、ＲＯＭ２０２から『飲料販売釦２Ａ、２Ｂ、４Ａ、４Ｂ、６Ａ、６Ｂ』を選択するための画面Ｄ２（図４）のテーブルデータを読み出して端末装置２１２に送信する。これにより、端末装置２１２は、画面Ｄ２を表示部２１２Ｂに表示する（Ｓ１０８）。
【００３５】
端末装置２１２の操作部２１２Ａの中で方向キーおよび決定キーが適宜操作されることによって、表示部２１２Ｂの画面Ｄ２の中で例えば『飲料販売釦２Ａ』が選択されると、端末装置２１２は、飲料販売釦２Ａを機能設定するための要求信号ＲＥＱ３を入出力部２１０を介して制御部２０４に送信する。制御部２０４は、要求信号ＲＥＱ３を受信すると（Ｓ１１０）、ＲＯＭ２０２から『定量販売機能、連続販売機能』を選択するための画面Ｄ３（図４）のテーブルデータを読み出して端末装置２１２に送信する。これにより、端末装置２１２は、画面Ｄ３を表示部２１２Ｂに表示する（Ｓ１１２）。
【００３６】
端末装置２１２の操作部２１２Ａの中で方向キーおよび決定キーが適宜操作されることによって、表示部２１２Ｂの画面Ｄ３の中で『定量販売機能』が選択されると、端末装置２１２は、定量販売機能を設定するための要求信号ＲＥＱ４を入出力部２１０を介して制御部２０４に送信する。制御部２０４は、要求信号ＲＥＱ４を受信すると（Ｓ１１４：定量）、ＲＯＭ２０２から『小容量、大容量』を選択するための画面Ｄ４（図４）のテーブルデータを読み出して端末装置２１２に送信する。これにより、端末装置２１２は、画面Ｄ４を表示部２１２Ｂに表示する（Ｓ１１６）。
【００３７】
端末装置２１２の操作部２１２Ａの中で方向キーおよび決定キーが適宜操作されることによって、表示部２１２Ｂの画面Ｄ４の中で『小容量』が選択されると、端末装置２１２は、小容量を設定するための要求信号ＲＥＱ５を入出力部２１０を介して制御部２０４に送信する。制御部２０４は、要求信号ＲＥＱ５を受信すると（Ｓ１１８：小容量）、飲料販売釦２Ａが小容量の定量販売機能と対応するデータをＲＡＭ２０６に記憶する。これにより、飲料販売釦２Ａは、小容量の清涼飲料１を定量販売する機能と対応することとなる（Ｓ１２０）。一方、端末装置２１２の操作部２１２Ａの中で方向キーおよび決定キーが適宜操作されることによって、表示部２１２Ｂの画面Ｄ４の中で『大容量』が選択されると、端末装置２１２は、大容量を設定するための要求信号ＲＥＱ６を入出力部２１０を介して制御部２０４に送信する。制御部２０４は、要求信号ＲＥＱ６を受信すると（Ｓ１１８：大容量）、飲料販売釦２Ａが大容量の定量販売機能と対応するデータをＲＡＭ２０６に記憶する。これにより、飲料販売釦２Ａは、大容量の清涼飲料１を定量販売する機能と対応することとなる（Ｓ１２２）。但し、本実施形態では、飲料販売釦２Ａ、２Ｂ、４Ａ、４Ｂ、６Ａ、６Ｂと定量販売機能とを対応付ける場合、飲料販売釦２Ａ、４Ａ、６Ａは小容量の飲料を定量販売する機能と対応し、飲料販売釦２Ｂ、４Ｂ、６Ｂは大容量の飲料を定量販売する機能と対応する。
【００３８】
上記のステップＳ１１４において、端末装置２１２の操作部２１２Ａの中で方向キーおよび決定キーが適宜操作されることによって、表示部２１２Ｂの画面Ｄ３の中で『連続販売機能』が選択されると、端末装置２１２は、連続販売機能を設定するための要求信号ＲＥＱ７を入出力部２１０を介して制御部２０４に送信する。制御部２０４は、要求信号ＲＥＱ７を受信すると（Ｓ１１４：連続）、飲料販売釦２Ａが連続販売機能と対応するデータをＲＡＭ２０６に記憶する。これにより、飲料販売釦２Ａは、清涼飲料１を連続販売する機能と対応することとなる（Ｓ１２４）。
【００３９】
端末装置２１２の操作部２１２Ａの中で飲料販売釦２Ａ、２Ｂ、４Ａ、４Ｂ、６Ａ、６Ｂの機能設定を終了するための機能キーが操作されると、端末装置２１２は、機能設定を終了するための要求信号ＲＥＱ８を入出力部２１０を介して制御部２０４に送信する。制御部２０４は、要求信号ＲＥＱ８を受信すると（Ｓ１２６：ＹＥＳ）、個別設定動作を終了する。一方、制御部２０４は、要求信号ＲＥＱ８を受信してしない場合（Ｓ１２６：ＮＯ）、上記のステップＳ１０８以降を実行可能な状態、即ち、飲料販売釦を設定するための要求信号ＲＥＱ３を受信可能な状態で待機する。
【００４０】
≪飲料種類設定≫
図４、図６を参照しつつ、本発明の飲料供給装置の飲料販売釦に飲料種類を設定する場合の動作について説明する。図６は、本発明の飲料供給装置の飲料販売釦に飲料種類を設定する場合の動作を説明するためのフローチャートである。尚、図６の動作は、飲食店の経営者、店員等が端末装置２１２の操作部２１２Ａを操作することで発生する信号に基づいて、制御部２０４が実行するものである。
【００４１】
先ず、端末装置２１２の操作部２１２Ａの中で飲料販売釦２Ａ、２Ｂ、４Ａ、４Ｂ、６Ａ、６Ｂの機能設定を開始するための機能キーが操作されると、端末装置２１２は、機能設定を開始するための要求信号ＲＥＱ１を入出力部２１０を介して制御部２０４に送信する。制御部２０４は、要求信号ＲＥＱ１を受信すると（Ｓ２０２）、ＲＯＭ２０２から『個別設定、一括設定、飲料種類設定、タイマ設定』を選択するための画面Ｄ１（図４）のテーブルデータを読み出して端末装置２１２に送信する。これにより、端末装置２１２は、画面Ｄ１を表示部２１２Ｂに表示する（Ｓ２０４）。
【００４２】
端末装置２１２の操作部２１２Ａの中で方向キーおよび決定キーが適宜操作されることによって、表示部２１２Ｂの画面Ｄ１の中で『飲料種類設定』が選択されると、端末装置２１２は、飲料種類を設定するための要求信号ＲＥＱ９を入出力部２１０を介して制御部２０４に送信する。制御部２０４は、要求信号ＲＥＱ９を受信すると（Ｓ２０６）、ＲＯＭ２０２から『清涼飲料、アルコール飲料』を選択するための画面Ｄ５（図４）のテーブルデータを読み出して端末装置２１２に送信する。これにより、端末装置２１２は、画面Ｄ５を表示部２１２Ｂに表示する（Ｓ２０８）。
【００４３】
端末装置２１２の操作部２１２Ａの中で方向キーおよび決定キーが適宜操作されることによって、表示部２１２Ｂの画面Ｄ５の中で『清涼飲料』が選択されると、端末装置２１２は、清涼飲料を設定するための要求信号ＲＥＱ１０を入出力部２１０を介して制御部２０４に送信する。制御部２０４は、要求信号ＲＥＱ１０を受信すると（Ｓ２１０：清涼）、ＲＯＭ２０２から『飲料選択部２、４、６』を選択するための画面Ｄ６（図４）のテーブルデータを読み出して端末装置２１２に送信する。これにより、端末装置２１２は、画面Ｄ６を表示部２１２Ｂに表示する（Ｓ２１２）。
【００４４】
端末装置２１２の操作部２１２Ａの中で方向キーおよび決定キーが適宜操作されることによって、表示部２１２Ｂの画面Ｄ６の中で例えば『飲料選択部２』が選択されると、端末装置２１２は、飲料選択部２を設定するための要求信号ＲＥＱ１１を入出力部２１０を介して制御部２０４に送信する。制御部２０４は、要求信号ＲＥＱ１１を受信すると（Ｓ２１４）、飲料選択部２が清涼飲料の種類と対応するデータをＲＡＭ２０６に記憶する。これにより、飲料選択部２は、清涼飲料を販売する種類に対応することとなる（Ｓ２１６）。
【００４５】
一方、端末装置２１２の操作部２１２Ａの中で方向キーおよび決定キーが適宜操作されることによって、表示部２１２Ｂの画面Ｄ５の中で『アルコール飲料』が選択されると、端末装置２１２は、アルコール飲料を設定するための要求信号ＲＥＱ１２を入出力部２１０を介して制御部２０４に送信する。制御部２０４は、要求信号ＲＥＱ１２を受信すると（Ｓ２１０：アルコール）、ＲＯＭ２０２から『飲料選択部２、４、６』を選択するための画面Ｄ６（図４）のテーブルデータを読み出して端末装置２１２に送信する。これにより、端末装置２１２は、画面Ｄ６を表示部２１２Ｂに表示する（Ｓ２１８）。
【００４６】
端末装置２１２の操作部２１２Ａの中で方向キーおよび決定キーが適宜操作されることによって、表示部２１２Ｂの画面Ｄ６の中で例えば『飲料選択部６』が選択されると、端末装置２１２は、飲料選択部６を設定するための要求信号ＲＥＱ１３を入出力部２１０を介して制御部２０４に送信する。制御部２０４は、要求信号ＲＥＱ１３を受信すると（Ｓ２２０）、飲料選択部６がアルコール飲料の種類と対応するデータをＲＡＭ２０６に記憶する。これにより、飲料選択部６は、アルコール飲料を販売する種類に対応することとなる（Ｓ２２２）。
【００４７】
端末装置２１２の操作部２１２Ａの中で飲料販売釦２Ａ、２Ｂ、４Ａ、４Ｂ、６Ａ、６Ｂの機能設定を終了するための機能キーが操作されると、端末装置２１２は、機能設定を終了するための要求信号ＲＥＱ８を入出力部２１０を介して制御部２０４に送信する。制御部２０４は、要求信号ＲＥＱ８を受信すると（Ｓ２２４：ＹＥＳ）、飲料の種類を設定する動作を終了する。一方、制御部２０４は、要求信号ＲＥＱ８を受信していない場合（Ｓ２２４：ＮＯ）、上記のステップＳ２０８以降を実行可能な状態、即ち、清涼飲料またはアルコール飲料を設定するための要求信号ＲＥＱ１０、ＲＥＱ１２を受信可能な状態で待機する。
【００４８】
≪一括連続販売設定≫
図４、図７を参照しつつ、本発明の飲料供給装置の飲料販売釦に連続販売機能を一括設定する場合の動作について説明する。図７は、本発明の飲料供給装置の飲料販売釦に連続販売機能を一括設定する場合の動作を説明するためのフローチャートである。尚、図７の動作は、飲食店の経営者、店員等が端末装置２１２の操作部２１２Ａを操作することで発生する信号に基づいて、制御部２０４が実行するものである。
【００４９】
先ず、端末装置２１２の操作部２１２Ａの中で飲料販売釦２Ａ、２Ｂ、４Ａ、４Ｂ、６Ａ、６Ｂの機能設定を開始するための機能キーが操作されると、端末装置２１２は、機能設定を開始するための要求信号ＲＥＱ１を入出力部２１０を介して制御部２０４に送信する。制御部２０４は、要求信号ＲＥＱ１を受信すると（Ｓ３０２）、ＲＯＭ２０２から『個別設定、一括設定、飲料種類設定、タイマ設定』を選択するための画面Ｄ１（図４）のテーブルデータを読み出して端末装置２１２に送信する。これにより、端末装置２１２は、画面Ｄ１を表示部２１２Ｂに表示する（Ｓ３０４）。
【００５０】
端末装置２１２の操作部２１２Ａの中で方向キーおよび決定キーが適宜操作されることによって、表示部２１２Ｂの画面Ｄ１の中で『一括設定』が選択されると、端末装置２１２は、一括設定するための要求信号ＲＥＱ１４を入出力部２１０を介して制御部２０４に送信する。制御部２０４は、要求信号ＲＥＱ１４を受信すると（Ｓ３０６）、ＲＯＭ２０２から『一括連続販売設定、一括定量販売無効設定、一括連続販売無効設定』を選択するための画面Ｄ７（図４）のテーブルデータを読み出して端末装置２１２に送信する。これにより、端末装置２１２は、画面Ｄ７を表示部２１２Ｂに表示する（Ｓ３０８）。
【００５１】
端末装置２１２の操作部２１２Ａの中で方向キーおよび決定キーが適宜操作されることによって、表示部２１２Ｂの画面Ｄ７の中で『一括連続販売設定』が選択されると、端末装置２１２は、連続販売機能を一括設定するための要求信号ＲＥＱ１５を入出力部２１０を介して制御部２０４に送信する。制御部２０４は、要求信号ＲＥＱ１５を受信すると（Ｓ３１０：一括連続販売設定）、飲料選択部２、４、６に飲料種類が設定されているかどうかを判別する（Ｓ３１２）。飲料選択部２、４、６に飲料種類が設定されている場合（Ｓ３１２：ＹＥＳ）、制御部２０４は、ＲＯＭ２０２から『清涼飲料、アルコール飲料』を選択するための画面Ｄ５（図４）のテーブルデータを読み出して端末装置２１２に送信する。これにより、端末装置２１２は、画面Ｄ５を表示部２１２Ｂに表示する（Ｓ３１４）。
【００５２】
端末装置２１２の操作部２１２Ａの中で方向キーおよび決定キーが適宜操作されることによって、表示部２１２Ｂの画面Ｄ５の中で『清涼飲料』が選択されると、端末装置２１２は、清涼飲料の種類で区分される飲料選択部を特定するための要求信号ＲＥＱ１６を入出力部２１０を介して制御部２０４に送信する。制御部２０４は、要求信号ＲＥＱ１６を受信すると（Ｓ３１６：清涼）、清涼飲料の種類で区分される飲料選択部が連続販売機能と対応するデータをＲＡＭ２０６に記憶する。これにより、清涼飲料の種類で区分される飲料選択部は、清涼飲料を連続販売する機能に一括設定されることとなる（Ｓ３１８）。一方、端末装置２１２の操作部２１２Ａの中で方向キーおよび決定キーが適宜操作されることによって、表示部２１２Ｂの画面Ｄ５の中で『アルコール飲料』が選択されると、端末装置２１２は、アルコール飲料の種類で区分される飲料選択部を特定するための要求信号ＲＥＱ１７を入出力部２１０を介して制御部２０４に送信する。制御部２０４は、要求信号ＲＥＱ１７を受信すると（Ｓ３１６：アルコール）、アルコール飲料の種類で区分される飲料選択部が連続販売機能と対応するデータをＲＡＭ２０６に記憶する。これにより、アルコール飲料の種類で区分される飲料選択部は、アルコール飲料を連続販売する機能に一括設定されることとなる（Ｓ３２０）。
【００５３】
上記のステップＳ３１２において、飲料選択部２、４、６に飲料の種類が設定されていない場合（Ｓ３１２：ＮＯ）、飲料選択部２、４、６が連続販売機能と対応するデータをＲＡＭ２０６に記憶する。これにより、全部の飲料選択部２、４、６は、飲料を連続販売する機能に一括設定されることとなる（Ｓ３２２）。
【００５４】
端末装置２１２の操作部２１２Ａの中で飲料販売釦２Ａ、２Ｂ、４Ａ、４Ｂ、６Ａ、６Ｂの機能設定を終了するための機能キーが操作されると、端末装置２１２は、機能設定を終了するための要求信号ＲＥＱ８を入出力部２１０を介して制御部２０４に送信する。制御部２０４は、要求信号ＲＥＱ８を受信すると、一括連続販売設定動作を終了する（Ｓ３２４）。
【００５５】
≪一括定量販売無効設定≫
図４、図８を参照しつつ、本発明の飲料供給装置の飲料販売釦に設定されている定量販売機能を一括で無効設定する場合の動作について説明する。図８は、本発明の飲料供給装置の飲料販売釦に設定されている定量販売機能を一括で無効設定する場合の動作を説明するためのフローチャートである。尚、図８の動作は、飲食店の経営者、店員等が端末装置２１２の操作部２１２Ａを操作することで発生する信号に基づいて、制御部２０４が実行するものである。
【００５６】
図７のステップＳ３１０において、端末装置２１２の操作部２１２Ａの中で方向キーおよび決定キーが適宜操作されることによって、表示部２１２Ｂの画面Ｄ７の中で『一括定量販売無効設定』が選択されると、端末装置２１２は、定量販売機能を一括で無効設定するための要求信号ＲＥＱ１８を入出力部２１０を介して制御部２０４に送信する。制御部２０４は、要求信号ＲＥＱ１８を受信すると（Ｓ３１０：一括定量販売無効設定）、飲料選択部２、４、６に飲料種類が設定されているかどうかを判別する（Ｓ４０２）。飲料選択部２、４、６に飲料種類が設定されている場合（Ｓ４０２：ＹＥＳ）、制御部２０４は、ＲＯＭ２０２から『清涼飲料、アルコール飲料』を選択するための画面Ｄ５（図４）のテーブルデータを読み出して端末装置２１２に送信する。これにより、端末装置２１２は、画面Ｄ５を表示部２１２Ｂに表示する（Ｓ４０４）。
【００５７】
端末装置２１２の操作部２１２Ａの中で方向キーおよび決定キーが適宜操作されることによって、表示部２１２Ｂの画面Ｄ５の中で『清涼飲料』が選択されると、端末装置２１２は、清涼飲料の種類で区分される飲料選択部を特定するための要求信号ＲＥＱ１９を入出力部２１０を介して制御部２０４に送信する。制御部２０４は、要求信号ＲＥＱ１９を受信すると（Ｓ４０６：清涼）、清涼飲料の種類で区分される飲料選択部の中で、既に設定されている定量販売機能を無効とするデータをＲＡＭ２０６に記憶する。これにより、清涼飲料の種類で区分される飲料選択部の中で、定量販売機能に設定されている飲料販売釦は、飲料を販売できない機能に一括設定されることとなる（Ｓ４０８）。一方、端末装置２１２の操作部２１２Ａの中で方向キーおよび決定キーが適宜操作されることによって、表示部２１２Ｂの画面Ｄ５の中で『アルコール飲料』が選択されると、端末装置２１２は、アルコール飲料の種類で区分される飲料選択部を特定するための要求信号ＲＥＱ２０を入出力部２１０を介して制御部２０４に送信する。制御部２０４は、要求信号ＲＥＱ２０を受信すると（Ｓ４０６：アルコール）、アルコール飲料の種類で区分される飲料選択部の中で、既に設定されている定量販売機能を無効とするデータをＲＡＭ２０６に記憶する。これにより、アルコール飲料の種類で区分される飲料選択部の中で、定量販売機能に設定されている飲料販売釦は、飲料を販売できない機能に一括設定されることとなる（Ｓ４１０）。
【００５８】
上記のステップＳ４０２において、飲料選択部２、４、６に飲料の種類が設定されていない場合（Ｓ４０２：ＮＯ）、全体の飲料選択部の中で、既に設定されている定量販売機能を無効とするデータをＲＡＭ２０６に記憶する。これにより、飲料選択部２、４、６の中で、定量販売機能に設定されている飲料販売釦は、飲料を販売できない機能に一括設定されることとなる（Ｓ４１２）。
【００５９】
端末装置２１２の操作部２１２Ａの中で飲料販売釦２Ａ、２Ｂ、４Ａ、４Ｂ、６Ａ、６Ｂの機能設定を終了するための機能キーが操作されると、端末装置２１２は、機能設定を終了するための要求信号ＲＥＱ８を入出力部２１０を介して制御部２０４に送信する。制御部２０４は、要求信号ＲＥＱ８を受信すると、一括定量販売無効設定動作を終了する（Ｓ４１４）。
【００６０】
≪一括連続販売無効設定≫
図４、図９を参照しつつ、本発明の飲料供給装置の飲料販売釦に設定されている連続販売機能を一括で無効設定する場合の動作について説明する。図９は、本発明の飲料供給装置の飲料販売釦に設定されている連続販売機能を一括で無効設定する場合の動作を説明するためのフローチャートである。尚、図９の動作は、飲食店の経営者、店員等が端末装置２１２の操作部２１２Ａを操作することで発生する信号に基づいて、制御部２０４が実行するものである。
【００６１】
図７のステップＳ３１０において、端末装置２１２の操作部２１２Ａの中で方向キーおよび決定キーが適宜操作されることによって、表示部２１２Ｂの画面Ｄ７の中で『一括連続販売無効設定』が選択されると、端末装置２１２は、連続販売機能を一括で無効設定するための要求信号ＲＥＱ２１を入出力部２１０を介して制御部２０４に送信する。制御部２０４は、要求信号ＲＥＱ２１を受信すると（Ｓ３１０：一括連続販売無効設定）、飲料選択部２、４、６に飲料種類が設定されているかどうかを判別する（Ｓ５０２）。飲料選択部２、４、６に飲料種類が設定されている場合（Ｓ４０２：ＹＥＳ）、制御部２０４は、ＲＯＭ２０２から『清涼飲料、アルコール飲料』を選択するための画面Ｄ５（図４）のテーブルデータを読み出して端末装置２１２に送信する。これにより、端末装置２１２は、画面Ｄ５を表示部２１２Ｂに表示する（Ｓ５０４）。
【００６２】
端末装置２１２の操作部２１２Ａの中で方向キーおよび決定キーが適宜操作されることによって、表示部２１２Ｂの画面Ｄ５の中で『清涼飲料』が選択されると、端末装置２１２は、清涼飲料の種類で区分される飲料選択部を特定するための要求信号ＲＥＱ２２を入出力部２１０を介して制御部２０４に送信する。制御部２０４は、要求信号ＲＥＱ２２を受信すると（Ｓ５０６：清涼）、清涼飲料の種類で区分される飲料選択部の中で、既に設定されている連続販売機能を無効とするデータをＲＡＭ２０６に記憶する。これにより、清涼飲料の種類で区分される飲料選択部の中で、連続販売機能に設定されている飲料販売釦は、飲料を販売できない機能に一括設定されることとなる（Ｓ５０８）。一方、端末装置２１２の操作部２１２Ａの中で方向キーおよび決定キーが適宜操作されることによって、表示部２１２Ｂの画面Ｄ５の中で『アルコール飲料』が選択されると、端末装置２１２は、アルコール飲料の種類で区分される飲料選択部を特定するための要求信号ＲＥＱ２３を入出力部２１０を介して制御部２０４に送信する。制御部２０４は、要求信号ＲＥＱ２３を受信すると（Ｓ５０６：アルコール）、アルコール飲料の種類で区分される飲料選択部の中で、既に設定されている連続販売機能を無効とするデータをＲＡＭ２０６に記憶する。これにより、アルコール飲料の種類で区分される飲料選択部の中で、連続販売機能に設定されている飲料販売釦は、飲料を販売できない機能に一括設定されることとなる（Ｓ５１０）。
【００６３】
上記のステップＳ５０２において、飲料選択部２、４、６に飲料の種類が設定されていない場合（Ｓ５０２：ＮＯ）、全体の飲料選択部の中で、既に設定されている連続販売機能を無効とするデータをＲＡＭ２０６に記憶する。これにより、飲料選択部２、４、６の中で、連続販売機能に設定されている飲料販売釦は、飲料を販売できない機能に一括設定されることとなる（Ｓ５１２）。
【００６４】
端末装置２１２の操作部２１２Ａの中で飲料販売釦２Ａ、２Ｂ、４Ａ、４Ｂ、６Ａ、６Ｂの機能設定を終了するための機能キーが操作されると、端末装置２１２は、機能設定を終了するための要求信号ＲＥＱ８を入出力部２１０を介して制御部２０４に送信する。制御部２０４は、要求信号ＲＥＱ８を受信すると、一括連続販売無効設定動作を終了する（Ｓ５１４）。
【００６５】
≪タイマ設定≫
図４、図１０を参照しつつ、本発明の飲料供給装置をタイマ設定する場合の動作について説明する。図１０は、本発明の飲料供給装置をタイマ設定する場合の動作を説明するためのフローチャートである。尚、図１０の動作は、飲食店の経営者、店員等が端末装置２１２の操作部２１２Ａを操作することで発生する信号に基づいて、制御部２０４が実行するものである。
【００６６】
先ず、端末装置２１２の操作部２１２Ａの中で飲料販売釦２Ａ、２Ｂ、４Ａ、４Ｂ、６Ａ、６Ｂの機能設定を開始するための機能キーが操作されると、端末装置２１２は、機能設定を開始するための要求信号ＲＥＱ１を入出力部２１０を介して制御部２０４に送信する。制御部２０４は、要求信号ＲＥＱ１を受信すると（Ｓ６０２）、ＲＯＭ２０２から『個別設定、一括設定、飲料種類設定、タイマ設定』を選択するための画面Ｄ１（図４）のテーブルデータを読み出して端末装置２１２に送信する。これにより、端末装置２１２は、画面Ｄ１を表示部２１２Ｂに表示する（Ｓ６０４）。
【００６７】
端末装置２１２の操作部２１２Ａの中で方向キーおよび決定キーが適宜操作されることによって、表示部２１２Ｂの画面Ｄ１の中で『タイマ設定』が選択されると、端末装置２１２は、タイマ設定するための要求信号ＲＥＱ２４を入出力部２１０を介して制御部２０４に送信する。制御部２０４は、要求信号ＲＥＱ２４を受信すると（Ｓ６０６）、ＲＯＭ２０２から『一括連続販売設定、一括定量販売無効設定、一括連続販売無効設定』を選択するための画面Ｄ７（図４）のテーブルデータを読み出して端末装置２１２に送信する。これにより、端末装置２１２は、画面Ｄ７を表示部２１２Ｂに表示する（Ｓ６０８）。
【００６８】
端末装置２１２の操作部２１２Ａの中で方向キーおよび決定キーが適宜操作されることによって、表示部２１２Ｂの画面Ｄ７の中で『一括連続販売設定』が選択されると、端末装置２１２は、一括連続販売設定の開始時刻および終了時刻を設定するための要求信号ＲＥＱ２４を入出力部２１０を介して制御部２０４に送信する。制御部２０４は、要求信号ＲＥＱ２４を受信すると（Ｓ６１０：一括連続販売設定）、ＲＯＭ２０２から一括連続販売設定の開始時刻および終了時刻を設定するための画面Ｄ８（図４）のテーブルデータを読み出して端末装置２１２に送信する。これにより、端末装置２１２は、画面Ｄ７を表示部２１２Ｂに表示する（Ｓ６１２）。
【００６９】
端末装置２１２の操作部２１２Ａの中で数字キーが適宜操作されることによって、表示部２１２Ｂの画面Ｄ８の『開始時刻、終了時刻』が入力されると、端末装置２１２は、開始時刻および終了時刻を示す信号を入出力部２１０を介して制御部２０４に送信する。制御部２０４は、開始時刻および終了時刻を示す信号を受信すると（Ｓ６１４）、一括連続販売設定が上記の開始時刻および終了時刻と対応するデータをＲＡＭ２０６に記憶する。これにより、一括連続販売設定は、上記の開始時刻で設定され、上記の終了時刻で解除されることとなる（Ｓ６１６）。
【００７０】
上記のステップＳ６１０において、端末装置２１２の操作部２１２Ａの中で方向キーおよび決定キーが適宜操作されることによって、表示部２１２Ｂの画面Ｄ７の中で『一括定量販売無効設定』が選択されると、端末装置２１２は、一括定量販売無効設定の開始時刻および終了時刻を設定するための要求信号ＲＥＱ２５を入出力部２１０を介して制御部２０４に送信する。制御部２０４は、要求信号ＲＥＱ２５を受信すると（Ｓ６１０：一括定量販売無効設定）、ＲＯＭ２０２から一括定量販売無効設定の開始時刻および終了時刻を設定するための画面Ｄ８（図４）のテーブルデータを読み出して端末装置２１２に送信する。これにより、端末装置２１２は、画面Ｄ８を表示部２１２Ｂに表示する（Ｓ６１８）。
【００７１】
端末装置２１２の操作部２１２Ａの中で数字キーが適宜操作されることによって、表示部２１２Ｂの画面Ｄ８の『開始時刻、終了時刻』が入力されると、端末装置２１２は、開始時刻および終了時刻を示す信号を入出力部２１０を介して制御部２０４に送信する。制御部２０４は、開始時刻および終了時刻を示す信号を受信すると（Ｓ６２０）、一括定量販売無効設定が上記の開始時刻および終了時刻と対応するデータをＲＡＭ２０６に記憶する。これにより、一括定量販売無効設定は、上記の開始時刻で設定され、上記の終了時刻で解除されることとなる（Ｓ６２２）。
【００７２】
上記のステップＳ６１０において、端末装置２１２の操作部２１２Ａの中で方向キーおよび決定キーが適宜操作されることによって、表示部２１２Ｂの画面Ｄ７の中で『一括連続販売無効設定』が選択されると、端末装置２１２は、一括連続販売無効設定の開始時刻および終了時刻を設定するための要求信号ＲＥＱ２６を入出力部２１０を介して制御部２０４に送信する。制御部２０４は、要求信号ＲＥＱ２６を受信すると（Ｓ６１０：一括連続販売無効設定）、ＲＯＭ２０２から一括連続販売無効設定の開始時刻および終了時刻を設定するための画面Ｄ８（図４）のテーブルデータを読み出して端末装置２１２に送信する。これにより、端末装置２１２は、画面Ｄ８を表示部２１２Ｂに表示する（Ｓ６２４）。
【００７３】
端末装置２１２の操作部２１２Ａの中で数字キーが適宜操作されることによって、表示部２１２Ｂの画面Ｄ８の『開始時刻、終了時刻』が入力されると、端末装置２１２は、開始時刻および終了時刻を示す信号を入出力部２１０を介して制御部２０４に送信する。制御部２０４は、開始時刻および終了時刻を示す信号を受信すると（Ｓ６２６）、一括連続販売無効設定が上記の開始時刻および終了時刻と対応するデータをＲＡＭ２０６に記憶する。これにより、一括連続販売無効設定は、上記の開始時刻で設定され、上記の終了時刻で解除されることとなる（Ｓ６２８）。
【００７４】
端末装置２１２の操作部２１２Ａの中で飲料販売釦２Ａ、２Ｂ、４Ａ、４Ｂ、６Ａ、６Ｂの機能設定を終了するための機能キーが操作されると、端末装置２１２は、機能設定を終了するための要求信号ＲＥＱ８を入出力部２１０を介して制御部２０４に送信する。制御部２０４は、要求信号ＲＥＱ８を受信すると、タイマ設定動作を終了する（Ｓ６３０）。
【００７５】
以上、本発明にかかる飲料供給装置について説明したが、上記した発明の実施の形態は、本発明の理解を容易とするためのものであり、本発明を限定するものではない。本発明は、その趣旨を逸脱することなく、変更、改良され得るとともに、本発明にはその等価物が含まれることは勿論である。
本実施形態では、飲料販売釦を飲料の種類（清涼飲料、アルコール飲料等）で区分しているが、他の種類で区分してもよい。
【００７６】
【発明の効果】
本発明によれば、飲料販売釦に連続販売機能を対応付ける際の設定操作、飲料販売釦に対応付けられている定量販売機能を無効とする際の設定操作、飲料販売釦に対応付けられている連続販売機能を無効とする際の設定操作、を簡便とできる。
【図面の簡単な説明】
【図１】本発明を適用する飲料供給装置の外部の一例を示す正面図である。
【図２】本発明を適用する飲料供給装置の販売機構部の一例を説明するための図である。
【図３】本発明の飲料供給装置の制御構成を説明するためのブロック図である。
【図４】本発明を適用する飲料供給装置の端末装置の表示内容の一例を示す図である。
【図５】本発明の飲料供給装置の飲料販売釦に定量販売機能または連続販売機能を個別設定する場合の動作を説明するためのフローチャートである。
【図６】本発明の飲料供給装置の飲料販売釦に飲料種類を設定する場合の動作を説明するためのフローチャートである。
【図７】本発明の飲料供給装置の飲料販売釦に連続販売機能を一括設定する場合の動作を説明するためのフローチャートである。
【図８】本発明の飲料供給装置の飲料販売釦に設定されている定量販売機能を一括で無効設定する場合の動作を説明するためのフローチャートである。
【図９】本発明の飲料供給装置の飲料販売釦に設定されている連続販売機能を一括で無効設定する場合の動作を説明するためのフローチャートである。
【図１０】本発明の飲料供給装置をタイマ設定する場合の動作を説明するためのフローチャートである。
【符号の説明】
２、４、６  飲料選択部
２Ａ、２Ｂ、４Ａ、４Ｂ、６Ａ、６Ｂ  飲料販売釦
１００  販売機構部
２０２  ＲＯＭ
２０４  制御部
２０６  ＲＡＭ
２０８  タイマ
２１０  入出力部
２１２  端末装置
【図１】
2004334378.tif 000003
【図２】
2004334378.tif 000004
【図３】
2004334378.tif 000005
【図４】
2004334378.tif 000006
【図５】
2004334378.tif 000007
【図６】
2004334378.tif 000008
【図７】
2004334378.tif 000009
【図８】
2004334378.tif 000010
【図９】
2004334378.tif 000011
【図１０】
2004334378.tif 000012